(57)【要約】【課題】より少ない操作により電気機器を制御する。【解決手段】対象機器が制御の下で実行する動作の第一属性と、第一属性への設定値とを含む設定情報を受け付けさせ（Ｓ６０１）、複数の電気機器の機器情報と、電気機器が制御の下で実行可能な動作の第二属性との対応情報を取得させ（Ｓ６０２）、第一属性と、取得した対応情報により対応付けられる複数の電気機器の機器情報のうち、第二属性として第一属性を含む電気機器の機器情報のそれぞれとに応じた所定の情報を設定情報に付加することで、複数の電気機器のそれぞれへの制御の内容を示す複数の制御情報を生成させ（Ｓ６０３）、近接無線通信を通じて、対象機器の機器情報を受信させ（Ｓ６０４）、生成した複数の制御情報のうち、受信した機器情報により識別される電気機器への制御の内容を示す制御情報を選択させ、選択した制御情報を、近接無線通信を通じて対象機器へ送信させる（Ｓ６０５）。【選択図】図６
2015128283.tif 000002
【特許請求の範囲】
【請求項１】
通信端末を用いて電気機器を制御するための制御方法であって、
制御対象の電気機器である対象機器が制御の下で実行する動作の属性である第一属性と、前記第一属性への設定値とを含む設定情報を受け付けさせ、
前記対象機器を含む複数の電気機器のそれぞれを識別可能な機器情報と、前記機器情報により識別される前記電気機器が制御の下で実行可能な動作の属性である第二属性とを対応付けて示す対応情報を取得させ、
受け付けた前記設定情報に含まれる前記第一属性と、取得した前記対応情報により対応付けられる前記複数の電気機器の機器情報のうち、前記第二属性として前記第一属性を含む電気機器の機器情報のそれぞれとに応じた所定の情報を、受け付けた前記設定情報に付加することで、前記複数の電気機器のそれぞれへの制御の内容を示す複数の制御情報を生成させ、
前記対象機器と前記通信端末との近接無線通信を通じて、前記対象機器の機器情報を受信させ、
生成した前記複数の制御情報のうち、受信した前記機器情報により識別される電気機器への制御の内容を示す制御情報を選択させ、
選択した前記制御情報を、前記対象機器と前記通信端末との近接無線通信を通じて前記対象機器へ送信させる
制御方法。
【請求項２】
取得させる際には、
前記通信端末が備える記憶部に記憶されているリストであって、前記機器情報と前記第二属性とを対応付けて示すリストを、前記対応情報として取得させる
請求項１に記載の制御方法。
【請求項３】
前記通信端末は、前記機器情報と前記第二属性とを対応付けて示すリストを保有するサーバと通信可能であり、
取得させる際には、
前記サーバから前記リストを、前記対応情報として取得させる
請求項１に記載の制御方法。
【請求項４】
前記リストは、ユーザにより予め指定された電気機器を個別に識別可能な情報を、前記機器情報として含む
請求項２又は３に記載の制御方法。
【請求項５】
受け付けさせる際には、
ユーザが発する音声により、前記設定情報を受け付けさせる
請求項１〜４のいずれか１項に記載の制御方法。
【請求項６】
前記近接無線通信は、ユーザが前記通信端末を前記電気機器にタッチさせるタッチ操作により行われ、
受信させる際の前記近接無線通信と、送信させる際の前記近接無線通信とは、１回の前記タッチ操作により行われる
請求項１〜５のいずれか１項に記載の制御方法。
【請求項７】
受け付けさせる際には、
前記設定情報の入力を促すための情報を予めユーザに提示させ、提示された前記情報に応じて前記ユーザが入力した設定情報を前記設定情報として受け付けさせる
請求項１〜６のいずれか１項に記載の制御方法。
【請求項８】
前記第一属性及び前記第二属性のそれぞれは、
前記対象機器が動作を開始する時刻、前記対象機器による動作に係る温度、前記対象機器による動作の時間長、前記対象機器による動作の強弱、及び、前記対象機器による動作のＯＮ又はＯＦＦ、のいずれかを含む
請求項１〜７のいずれか１項に記載の制御方法。
【請求項９】
通信端末を用いて電気機器を制御するための制御方法を前記通信端末に実行させるためのプログラムであって、
前記制御方法は、
制御対象の電気機器である対象機器が制御の下で実行する動作の属性である第一属性と、前記第一属性への設定値とを含む設定情報を受け付けさせ、
前記対象機器を含む複数の電気機器のそれぞれを識別可能な機器情報と、前記機器情報により識別される前記電気機器が制御の下で実行可能な動作の属性である第二属性とを対応付けて示す対応情報を取得させ、
受け付けた前記設定情報に含まれる前記第一属性と、取得した前記対応情報により対応付けられる前記複数の電気機器の機器情報のうち、前記第二属性として前記第一属性を含む電気機器の機器情報のそれぞれとに応じた所定の情報を、受け付けた前記設定情報に付加することで、前記複数の電気機器のそれぞれへの制御の内容を示す複数の制御情報を生成させ、
前記対象機器と前記通信端末との近接無線通信を通じて、前記対象機器の機器情報を受信させ、
生成した前記複数の制御情報のうち、受信した前記機器情報により識別される電気機器への制御の内容を示す制御情報を選択させ、
選択した前記制御情報を、前記対象機器と前記通信端末との近接無線通信を通じて前記対象機器へ送信させる
プログラム。
【請求項１０】
通信端末を用いて電気機器を制御するための制御方法を前記通信端末に実行させるためのプログラムの提供方法であって、
前記通信端末から要求を受け付け、
受け付けた前記要求に応じてプログラムを前記通信端末に送信し、
前記プログラムは、
通信端末を用いて電気機器を制御するための制御方法を前記通信端末に実行させるためのプログラムであって、
前記制御方法は、
制御対象の電気機器である対象機器が制御の下で実行する動作の属性である第一属性と、前記第一属性への設定値とを含む設定情報を受け付けさせ、
前記対象機器を含む複数の電気機器のそれぞれを識別可能な機器情報と、前記機器情報により識別される前記電気機器が制御の下で実行可能な動作の属性である第二属性とを対応付けて示す対応情報を取得させ、
受け付けた前記設定情報に含まれる前記第一属性と、取得した前記対応情報により対応付けられる前記複数の電気機器の機器情報のうち、前記第二属性として前記第一属性を含む電気機器の機器情報のそれぞれとに応じた所定の情報を、受け付けた前記設定情報に付加することで、前記複数の電気機器のそれぞれへの制御の内容を示す複数の制御情報を生成させ、
前記対象機器と前記通信端末との近接無線通信を通じて、前記対象機器の機器情報を受信させ、
生成した前記複数の制御情報のうち、受信した前記機器情報により識別される電気機器への制御の内容を示す制御情報を選択させ、
選択した前記制御情報を、前記対象機器と前記通信端末との近接無線通信を通じて前記対象機器へ送信させる
プログラムの提供方法。
【請求項１１】
電気機器を制御するための通信端末であって、
制御対象の電気機器である対象機器が制御の下で実行する動作の属性である第一属性と、前記第一属性への設定値とを含む設定情報を受け付ける受付部と、
前記対象機器を含む複数の電気機器のそれぞれを識別可能な機器情報と、前記機器情報により識別される前記電気機器が制御の下で実行可能な動作の属性である第二属性とを対応付けて示す対応情報を取得する取得部と、
受け付けた前記設定情報に含まれる前記第一属性と、取得した前記対応情報により対応付けられる前記複数の電気機器の機器情報のうち、前記第二属性として前記第一属性を含む電気機器の機器情報のそれぞれとに応じた所定の情報を、受け付けた前記設定情報に付加することで、前記複数の電気機器のそれぞれへの制御の内容を示す複数の制御情報を生成する生成部と、
前記対象機器と前記通信端末との近接無線通信を通じて、前記対象機器の機器情報を受信する受信部と、
生成した前記複数の制御情報のうち、受信した前記機器情報により識別される電気機器への制御の内容を示す制御情報を選択する選択部と、
選択した前記制御情報を、前記対象機器と前記通信端末との近接無線通信を通じて前記対象機器へ送信する送信部とを備える
通信端末。
【請求項１２】
通信端末を含み、前記通信端末を用いて電気機器を制御するための制御システムであって、
制御対象の電気機器である対象機器が制御の下で実行する動作の属性である第一属性と、前記第一属性への設定値とを含む設定情報を受け付ける受付部と、
前記対象機器を含む複数の電気機器のそれぞれを識別可能な機器情報と、前記機器情報により識別される前記電気機器が制御の下で実行可能な動作の属性である第二属性とを対応付けて示す対応情報を取得する取得部と、
受け付けた前記設定情報に含まれる前記第一属性と、取得した前記対応情報により対応付けられる前記複数の電気機器の機器情報のうち、前記第二属性として前記第一属性を含む電気機器の機器情報のそれぞれとに応じた所定の情報を、受け付けた前記設定情報に付加することで、前記複数の電気機器のそれぞれへの制御の内容を示す複数の制御情報を生成する生成部と、
前記対象機器と前記通信端末との近接無線通信を通じて、前記対象機器の機器情報を受信する受信部と、
生成した前記複数の制御情報のうち、受信した前記機器情報により識別される電気機器への制御の内容を示す制御情報を選択する選択部と、
選択した前記制御情報を、前記対象機器と前記通信端末との近接無線通信を通じて前記対象機器へ送信する送信部とを備える
制御システム。
【発明の詳細な説明】
【技術分野】
【０００１】
本開示は、制御方法、プログラム、プログラムの提供方法、通信端末、及び、制御システムに関する。
【背景技術】
【０００２】
近年、ネットワークを介して、外部通信端末から情報を送受信する家庭用電気機器（以降、単に電気機器ともよぶ）が広く知られている。このような電気機器によれば、ユーザは、パソコン又は携帯電話などの通信端末を通じて、電気機器に対する要求として電気機器の動作内容を送信し、電気機器を制御することができる。
【０００３】
特許文献１に開示される技術によれば、ユーザは、制御対象の電気機器を通信端末上で指定する操作をした後、電気機器に対する要求として電気機器の動作内容を通信端末上で入力することで、通信端末を用いて外部の電気機器を制御することができる。
【先行技術文献】
【特許文献】
【０００４】
【特許文献１】特開２００５−３２３０７０号公報
【発明の概要】
【発明が解決しようとする課題】
【０００５】
しかしながら、電気機器を制御するために、電気機器を指定する操作の後に、電気機器に応じた動作内容を指定する操作を行うことは煩雑であるという問題がある。また、当該操作を受け付ける装置は、当該操作を受け付けるために処理負荷を要するという問題がある。
【０００６】
そこで、本開示は、より少ない操作により電気機器を制御する制御方法を提供する。
【課題を解決するための手段】
【０００７】
本開示の一態様に係る制御方法は、通信端末を用いて電気機器を制御するための制御方法であって、制御対象の電気機器である対象機器が制御の下で実行する動作の属性である第一属性と、前記第一属性への設定値とを含む設定情報を受け付けさせ、前記対象機器を含む複数の電気機器のそれぞれを識別可能な機器情報と、前記機器情報により識別される前記電気機器が制御の下で実行可能な動作の属性である第二属性とを対応付けて示す対応情報を取得させ、受け付けた前記設定情報に含まれる前記第一属性と、取得した前記対応情報により対応付けられる前記複数の電気機器の機器情報のうち、前記第二属性として前記第一属性を含む電気機器の機器情報のそれぞれとに応じた所定の情報を、受け付けた前記設定情報に付加することで、前記複数の電気機器のそれぞれへの制御の内容を示す複数の制御情報を生成させ、前記対象機器と前記通信端末との近接無線通信を通じて、前記対象機器の機器情報を受信させ、生成した前記複数の制御情報のうち、受信した前記機器情報により識別される電気機器への制御の内容を示す制御情報を選択させ、選択した前記制御情報を、前記対象機器と前記通信端末との近接無線通信を通じて前記対象機器へ送信させる。
【０００８】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００９】
本開示の制御方法によれば、より少ない操作により電気機器を制御することが可能となる。
【図面の簡単な説明】
【００１０】
【図１】図１は、実施の形態１における通信システムの全体像を示す概念図である。
【図２】図２は、実施の形態１における通信端末及び電気機器のハードウェア構成を示すブロック図である。
【図３】図３は、実施の形態１における通信端末の機能構成を示すブロック図である。
【図４】図４は、実施の形態１におけるリスト記憶部に記憶されている機器リストを示す図である。
【図５】図５は、実施の形態１における抽出リストを示す図である。
【図６】図６は、実施の形態１における通信端末の動作を示すフローチャートである。
【図７】図７は、実施の形態１における通信端末から制御対象の電気機器にユーザの要求を送信する処理の流れを示したシーケンス図である。
【図８】図８は、実施の形態１における制御方法の説明図である。
【図９Ａ】図９Ａは、実施の形態２における通信システムの全体像を表した概念図である。
【図９Ｂ】図９Ｂは、実施の形態２における通信端末及び電気機器のハードウェア構成を示すブロック図である。
【図１０】図１０は、実施の形態２における通信端末とサーバとの機能構成を示すブロック図である。
【図１１】図１１は、実施の形態２における通信端末とサーバとを用いて制御対象の電気機器にユーザの要求を送信する処理の流れを示したシーケンス図である。
【図１２】図１２は、実施の形態３における通信端末とサーバとの機能構成を示すブロック図である。
【図１３】図１３は、実施の形態３における通信端末とサーバとを用いて制御対象の電気機器にユーザの要求を送信する処理の流れを示したシーケンス図である。
【図１４】図１４は、実施の形態４における通信端末と外部装置の構成を示すブロック図である。
【図１５】図１５は、実施の形態４における通信端末からサーバを通して制御対象の電気機器にユーザの要求を送信する処理の流れを示したシーケンス図である。
【図１６】図１６は、実施の形態５における通信端末と外部装置の構成を示すブロック図である。
【図１７】図１７は、実施の形態５における通信端末からサーバを通して制御対象の電気機器にユーザの要求を送信する処理の流れを示したシーケンス図である。
【図１８】図１８は、実施の形態６における通信端末と外部装置の構成を示すブロック図である。
【図１９】図１９は、実施の形態６における通信端末からサーバを通して制御対象の電気機器にユーザの要求を送信する処理の流れを示したシーケンス図である。
【図２０】図２０は、各実施の形態における通信端末の他の構成例を示す概念図である。
【図２１】図２１は、各実施の形態における通信端末と接続するアプリサーバの構成例を示すブロック図である。
【発明を実施するための形態】
【００１１】
（本発明の基礎となった知見）
本発明者は、「背景技術」の欄において記載した、電気機器の制御方法に関し、以下の問題が生じることを見出した。
【００１２】
従来、通信端末を用いて電気機器を制御するには、ユーザがどの電気機器を制御するかを指定した後、ユーザの要求を入力しなければならなかった。これはユーザにとってわかりやすい操作とは言い難い。
【００１３】
特許文献１は、通信端末が電気機器を制御する技術を開示する。具体的には、まず、通信端末が電気機器の機器ＩＤを取得し、当該機器ＩＤと通信端末の利用者ＩＤとを用いて認証サーバがユーザ認証を行い、認証が成功した場合に、ユーザによる操作に基づいて通信端末が電気機器のリモコンとして動作することが可能になる。
【００１４】
特許文献１に開示される技術によれば、ユーザは、制御対象の電気機器を通信端末上で指定する操作をした後、電気機器に対する要求として電気機器の動作内容を通信端末上で入力することで、通信端末を用いて外部の電気機器を制御することができる。
【００１５】
しかしながら、電気機器を制御するために、電気機器を指定する操作の後に、電気機器に応じた動作内容を指定する操作を行うことは煩雑であるという問題がある。また、制御対象の電気機器が複数ある場合、ユーザは、家電を指定する操作を複数回行わなければならず、さらに煩雑であるという問題がある。また、当該操作を受け付ける装置は、当該操作を受け付けるために処理負荷を要するという問題がある。
【００１６】
そこで、本開示は、より少ない操作により電気機器を制御する制御方法を提供する。
【００１７】
換言すれば、本開示は、上記従来の課題を解決するもので、ユーザが比較的簡単な操作で携帯電話やスマートフォンなどの携帯機器を用いて、電気機器に要求を送信・設定するシステムを提供できることを目的とする。
【００１８】
このような問題を解決するために、本開示の一態様に係る制御方法は、通信端末を用いて電気機器を制御するための制御方法であって、制御対象の電気機器である対象機器が制御の下で実行する動作の属性である第一属性と、前記第一属性への設定値とを含む設定情報を受け付けさせ、前記対象機器を含む複数の電気機器のそれぞれを識別可能な機器情報と、前記機器情報により識別される前記電気機器が制御の下で実行可能な動作の属性である第二属性とを対応付けて示す対応情報を取得させ、受け付けた前記設定情報に含まれる前記第一属性と、取得した前記対応情報により対応付けられる前記複数の電気機器の機器情報のうち、前記第二属性として前記第一属性を含む電気機器の機器情報のそれぞれとに応じた所定の情報を、受け付けた前記設定情報に付加することで、前記複数の電気機器のそれぞれへの制御の内容を示す複数の制御情報を生成させ、前記対象機器と前記通信端末との近接無線通信を通じて、前記対象機器の機器情報を受信させ、生成した前記複数の制御情報のうち、受信した前記機器情報により識別される電気機器への制御の内容を示す制御情報を選択させ、選択した前記制御情報を、前記対象機器と前記通信端末との近接無線通信を通じて前記対象機器へ送信させる。
【００１９】
これによれば、ユーザが指定する設定情報に基づいて電気機器の制御情報を生成し、生成した制御情報を近接無線通信によって適切な電気機器へ送信することができる。ここで、上記の設定情報は、電気機器の動作を決定付ける制御情報の一部である。つまり、ユーザは、電気機器の動作を決定付ける制御情報の一部だけを指定し、近接無線通信のためのタッチ操作又はかざし操作を行うだけで、制御対象である電気機器を意図したとおりに制御することができる。よって、通信端末は、より少ない操作により電気機器を制御することができる。
【００２０】
従来であれば、ユーザは、（１）通信端末を操作することで制御対象の電気機器を選択し、（２）通信端末を操作することで選択した電気機器に対する制御内容を設定し、（３）決定した制御内容を、通信端末と電気機器との近接無線通信により電気機器に送信する、という３段階の操作を行うことが必要である。本開示によれば、ユーザは、（Ａ）通信端末を操作することで制御内容の一部を設定し、（Ｂ）通信端末と電気機器との近接無線通信により電気機器に送信する、という２段階の操作だけで、電気機器を制御することができる。つまり、本開示によれば、ユーザは、通信端末上で電気機器を指定する操作を行う必要がなくなり、通信端末は、より少ない操作により電気機器を制御することができる。
【００２１】
例えば、取得させる際には、前記通信端末が備える記憶部に記憶されているリストであって、前記機器情報と前記第二属性とを対応付けて示すリストを、前記対応情報として取得させるとしてもよい。
【００２２】
これによって、通信端末は、通信端末内に保持するリストに基づいて、制御対象となる電気機器の候補を取得することができる。よって、通信端末単体で電気機器を制御することができる。
【００２３】
例えば、前記通信端末は、前記機器情報と前記第二属性とを対応付けて示すリストを保有するサーバと通信可能であり、取得させる際には、前記サーバから前記リストを、前記対応情報として取得させるとしてもよい。
【００２４】
これによって、通信端末は、ネットワークを介して通信可能なサーバ内に保持するリストに基づいて、制御対象となる電気機器の候補を取得することができる。よって、記憶領域に制限があるなど、制約がある通信端末であっても、電気機器を制御することができる。
【００２５】
例えば、前記リストは、ユーザにより予め指定された電気機器を個別に識別可能な情報を、前記機器情報として含むとしてもよい。
【００２６】
これによって、通信端末は、ユーザにより予め指定された電気機器の中で、ユーザが意図する電気機器を制御することができる。
【００２７】
例えば、受け付けさせる際には、ユーザが発する音声により、前記設定情報を受け付けさせるとしてもよい。
【００２８】
これによって、通信端末は、ユーザによる設定情報の指定をユーザの音声で取得することができる。ユーザは、通信端末のキー操作又は画面への接触などの操作を伴わず、音声により通信端末に設定情報を入力することができる。よって、ユーザによる操作がより簡素なものとなりユーザにとって便利になる。
【００２９】
例えば、前記近接無線通信は、ユーザが前記通信端末を前記電気機器にタッチさせるタッチ操作により行われ、受信させる際の前記近接無線通信と、送信させる際の前記近接無線通信とは、１回の前記タッチ操作により行われるとしてもよい。
【００３０】
これによって、１回だけのタッチ操作によって通信端末が電気機器へ適切な制御情報を送信することができる。よって、通信端末は、より少ない操作により電気機器を制御することができる。
【００３１】
例えば、受け付けさせる際には、前記設定情報の入力を促すための情報を予めユーザに提示させ、提示された前記情報に応じて前記ユーザが入力した設定情報を前記設定情報として受け付けさせるとしてもよい。
【００３２】
これによって、ユーザは、通信端末へ設定情報を入力することができることを知ることができる。ユーザは、設定情報の入力を促すための情報を閲覧し、それに従って、通信端末へ設定情報を入力することができる。
【００３３】
例えば、前記第一属性及び前記第二属性のそれぞれは、前記対象機器が動作を開始する時刻、前記対象機器による動作に係る温度、前記対象機器による動作の時間長、前記対象機器による動作の強弱、及び、前記対象機器による動作のＯＮ又はＯＦＦ、のいずれかを含むとしてもよい。
【００３４】
これによって、ユーザは、電気機器の動作のさまざまな属性を適切に制御することができる。
【００３５】
本開示の一態様に係るプログラムは、通信端末を用いて電気機器を制御するための制御方法を前記通信端末に実行させるためのプログラムであって、前記制御方法は、制御対象の電気機器である対象機器が制御の下で実行する動作の属性である第一属性と、前記第一属性への設定値とを含む設定情報を受け付けさせ、前記対象機器を含む複数の電気機器のそれぞれを識別可能な機器情報と、前記機器情報により識別される前記電気機器が制御の下で実行可能な動作の属性である第二属性とを対応付けて示す対応情報を取得させ、受け付けた前記設定情報に含まれる前記第一属性と、取得した前記対応情報により対応付けられる前記複数の電気機器の機器情報のうち、前記第二属性として前記第一属性を含む電気機器の機器情報のそれぞれとに応じた所定の情報を、受け付けた前記設定情報に付加することで、前記複数の電気機器のそれぞれへの制御の内容を示す複数の制御情報を生成させ、前記対象機器と前記通信端末との近接無線通信を通じて、前記対象機器の機器情報を受信させ、生成した前記複数の制御情報のうち、受信した前記機器情報により識別される電気機器への制御の内容を示す制御情報を選択させ、選択した前記制御情報を、前記対象機器と前記通信端末との近接無線通信を通じて前記対象機器へ送信させる。
【００３６】
これによれば、上記と同様の効果を奏する。
【００３７】
本開示の一態様に係るプログラムの提供方法は、通信端末を用いて電気機器を制御するための制御方法を前記通信端末に実行させるためのプログラムの提供方法であって、前記通信端末から要求を受け付け、受け付けた前記要求に応じてプログラムを前記通信端末に送信し、前記プログラムは、通信端末を用いて電気機器を制御するための制御方法を前記通信端末に実行させるためのプログラムであって、前記制御方法は、制御対象の電気機器である対象機器が制御の下で実行する動作の属性である第一属性と、前記第一属性への設定値とを含む設定情報を受け付けさせ、前記対象機器を含む複数の電気機器のそれぞれを識別可能な機器情報と、前記機器情報により識別される前記電気機器が制御の下で実行可能な動作の属性である第二属性とを対応付けて示す対応情報を取得させ、受け付けた前記設定情報に含まれる前記第一属性と、取得した前記対応情報により対応付けられる前記複数の電気機器の機器情報のうち、前記第二属性として前記第一属性を含む電気機器の機器情報のそれぞれとに応じた所定の情報を、受け付けた前記設定情報に付加することで、前記複数の電気機器のそれぞれへの制御の内容を示す複数の制御情報を生成させ、前記対象機器と前記通信端末との近接無線通信を通じて、前記対象機器の機器情報を受信させ、生成した前記複数の制御情報のうち、受信した前記機器情報により識別される電気機器への制御の内容を示す制御情報を選択させ、選択した前記制御情報を、前記対象機器と前記通信端末との近接無線通信を通じて前記対象機器へ送信させる。
【００３８】
これによれば、上記と同様の効果を奏する。
【００３９】
本開示の一態様に係る通信端末は、電気機器を制御するための通信端末であって、制御対象の電気機器である対象機器が制御の下で実行する動作の属性である第一属性と、前記第一属性への設定値とを含む設定情報を受け付ける受付部と、前記対象機器を含む複数の電気機器のそれぞれを識別可能な機器情報と、前記機器情報により識別される前記電気機器が制御の下で実行可能な動作の属性である第二属性とを対応付けて示す対応情報を取得する取得部と、受け付けた前記設定情報に含まれる前記第一属性と、取得した前記対応情報により対応付けられる前記複数の電気機器の機器情報のうち、前記第二属性として前記第一属性を含む電気機器の機器情報のそれぞれとに応じた所定の情報を、受け付けた前記設定情報に付加することで、前記複数の電気機器のそれぞれへの制御の内容を示す複数の制御情報を生成する生成部と、前記対象機器と前記通信端末との近接無線通信を通じて、前記対象機器の機器情報を受信する受信部と、生成した前記複数の制御情報のうち、受信した前記機器情報により識別される電気機器への制御の内容を示す制御情報を選択する選択部と、選択した前記制御情報を、前記対象機器と前記通信端末との近接無線通信を通じて前記対象機器へ送信する送信部とを備える。
【００４０】
これによれば、上記と同様の効果を奏する。
【００４１】
本開示の一態様に係る制御システムは、通信端末を含み、前記通信端末を用いて電気機器を制御するための制御システムであって、制御対象の電気機器である対象機器が制御の下で実行する動作の属性である第一属性と、前記第一属性への設定値とを含む設定情報を受け付ける受付部と、前記対象機器を含む複数の電気機器のそれぞれを識別可能な機器情報と、前記機器情報により識別される前記電気機器が制御の下で実行可能な動作の属性である第二属性とを対応付けて示す対応情報を取得する取得部と、受け付けた前記設定情報に含まれる前記第一属性と、取得した前記対応情報により対応付けられる前記複数の電気機器の機器情報のうち、前記第二属性として前記第一属性を含む電気機器の機器情報のそれぞれとに応じた所定の情報を、受け付けた前記設定情報に付加することで、前記複数の電気機器のそれぞれへの制御の内容を示す複数の制御情報を生成する生成部と、前記対象機器と前記通信端末との近接無線通信を通じて、前記対象機器の機器情報を受信する受信部と、生成した前記複数の制御情報のうち、受信した前記機器情報により識別される電気機器への制御の内容を示す制御情報を選択する選択部と、選択した前記制御情報を、前記対象機器と前記通信端末との近接無線通信を通じて前記対象機器へ送信する送信部とを備える。
【００４２】
これによれば、上記と同様の効果を奏する。
【００４３】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００４４】
以下、実施の形態について、図面を参照しながら具体的に説明する。
【００４５】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００４６】
（実施の形態１）
本実施の形態では、近接無線通信機能を有する電気機器と、近接無線通信機能を有する通信端末とを用いて、ユーザが比較的簡単な操作で通信端末を用いて、電気機器に要求を送信・設定することで電気機器を制御するシステムについて説明する。なお、以下の説明において、制御対象の電気機器のことを対象機器とも記載する。
【００４７】
図１は、本実施の形態に係る通信システム１００の全体像を示す概念図である。図１に示す通信システム１００は、電気機器１０と、通信端末２０とを含む。
【００４８】
電気機器１０は、電力を消費して動作する機器である。電気機器１０は、近接無線通信により通信端末２０と通信することができる。電気機器１０は、例えば、レンジ、炊飯器、ＩＨクッキングヒーター、冷蔵庫、洗濯機、血圧計、体組成計、活動量計、テレビ、デジタルカメラ、又は、ＤＶＤレコーダーなどのことである。
【００４９】
通信端末２０は、通信ネットワークと接続された端末であり、通信ネットワークに接続された各種サーバ又は各種端末と通信することができる。通信端末２０は、近接無線通信により電気機器１０と通信することができる。通信端末２０は、例えば、携帯電話、又は、スマートフォン（高機能携帯電話、又は、多機能携帯電話ともよばれる）などである。
【００５０】
電気機器１０と通信端末２０とは、近接無線通信によって通信可能である。本実施の形態における近接無線通信とは、（１）電磁誘導方式の１３．５６ＭＨｚ帯（ＨＦ帯）、又は電波方式の５２〜９５４ＭＨｚ帯（ＵＨＦ帯）などを用いるＲＦＩＤ（Ｒａｄｉｏ  Ｆｒｅｑｕｅｎｃｙ  Ｉｄｅｎｔｉｆｉｃａｔｉｏｎ、ＩＳＯ  １４４４３）タグとリーダライタ機器との通信、又は、（２）１３．５６ＭＨｚ帯のＮＦＣ（Ｎｅａｒ  Ｆｉｅｌｄ
Ｃｏｍｍｕｎｉｃａｔｉｏｎ、ＩＳＯ／ＩＥＣ  ２１４８１）による通信を想定している。近接無線通信の通信可能距離は、ＨＦ帯では数１０ｃｍ、ＵＨＦ帯では数ｃｍに限られる。そのため、通信端末と電気機器との距離が上記通信可能距離以内になるように、通信端末が電気機器に近づけられた場合に近接無線通信が行われる。具体的には、ユーザが通信端末を電気機器にかざすかざし操作、又は、ユーザが通信端末を電気機器にタッチするタッチ操作によって通信が行われる。
【００５１】
本実施の形態では、通信端末２０にリーダライタ機能を実装し、電気機器１０にＩＣタグ機能を有する構成を説明する。ただし、本実施の形態の主眼は、電気機器１０と通信端末２０とが互いに近接無線通信によって情報のやりとりができる構成であればよい。つまり、通信端末２０にＩＣタグ機能を実装し、電気機器１０にリーダライタ機能を有する構成であっても、本開示の範疇である。また、ＮＦＣでは、ＰｔｏＰ通信機能、カードエミュレーション、及びリーダライタエミュレーションが規格化されている。この場合には、ＩＣタグとリーダライタ機器との関係はどちらでもよいことになる。本実施の形態では便宜上、通信端末２０にリーダライタ機能を実装し、電気機器１０にＩＣタグ機能を有する構成で説明する。
【００５２】
図２は、本実施の形態における通信端末及び電気機器のハードウェア構成を示すブロック図である。
【００５３】
図２に示されるように、電気機器１０は、機器制御部１１１と、通信部１１２とを備える。
【００５４】
機器制御部１１１は、電気機器の動作の制御を行う。具体的には、機器制御部１１１は、通信部１１２による通信に基づいて電気機器１０の動作を制御する。例えば、電気機器１０がレンジである場合、その動作とは、マイクロ波の出力時間（あたため時間）、出力パワ、マイクロ波の出力の開始又は終了などを含む。また、電気機器１０が炊飯器である場合、その動作とは、炊き上がり時刻、米の種別、又は、炊飯の開始又は終了などを含む。
【００５５】
通信部１１２は、通信端末２０に実装されているリーダライタ機器と近接無線通信を行う。通信部１１２は、リーダライタ機器への転送データを変調したり、リーダライタ機器からの転送データを復調したりする。また、通信部１１２は、リーダライタ機器から受信した電波に基づいて、少なくとも近接無線通信を確立するための電力生起を行うとともに、リーダライタ機器が送信する電波に基づいてクロック信号を抽出する。そして、通信部１１２は、リーダライタ機器が送信する電波で生起した電力とクロックとによって動作する。これにより、電気機器１０の主電源がオフの状態においても、通信部１１２は、通信端末２０と近接無線通信を行うことが可能である。なお、上記のとおりであるので、電気機器１０の機能ブロックのうち通信部１１２を除くものは、リーダライタ機器が送信する電波で生起した電力とクロックとによって動作するとしてもよいし、それらによっては動作しない（つまり、その他の電力とクロックとによって動作する）としてもよい。
【００５６】
また、通信部１１２は、通信端末２０に実装されているリーダライタ機器との間で近接無線通信を行うためのループアンテナを有する。
【００５７】
通信端末２０は、処理部２０１と、記憶部２０２と、表示部２０３と、第一通信部２０４と、キー２０６と、マイク２０７とを備える。
【００５８】
処理部２０１は、通信端末２０における処理を実行するプロセッサなどである。処理部２０１は、例えば、ＣＰＵで実現され、必要に応じてＲＡＭ（Ｒａｎｄｏｍ  Ａｃｃｅｓｓ  Ｍｅｍｏｒｙ）又はＲＯＭ（Ｒｅａｄ  Ｏｎｌｙ  Ｍｅｍｏｒｙ）なども含まれる。
【００５９】
記憶部２０２は、機器リストを保持しているメモリである。
【００６０】
表示部２０３は、通信端末２０と電気機器１０との近接無線通信の結果、及びサーバ機器１０４から送信されたデータを表示する。この表示部２０３は、例えば、液晶ディスプレイなどである。
【００６１】
第一通信部２０４は、近接無線通信を行う通信インタフェースであり、近接無線通信用のアンテナを含む。第一通信部２０４は、電気機器１０が備えるＩＣタグに向けてポーリングを行い、通信が確立した時点で、電気機器１０から情報を読み出し、また、電気機器１０へ情報を書き込む。
【００６２】
第一通信部２０４は、ユーザによるキー２０６へのキー入力、又は、マイク２０７への音声入力に応じて起動され、起動後、電気機器１０に対して近接無線通信を行うためのポーリング動作を開始する。通常、ポーリング動作は、不特定の相手に対して電波を出し続けるので、通信端末２０がバッテリ駆動である場合にはバッテリの充電量の低下を招く。それを回避するには、通信端末２０にポーリング動作を行わせるための専用ボタンを設ければよい。こうすれば、無駄なポーリング動作を行わせないと同時に、ユーザが機器を操作する際の負担を軽減することができる。
【００６３】
キー２０６は、ユーザによるキー入力操作を受け付けるユーザインタフェースである。キー２０６は、物理的に押下されることで所定の文字又は記号の入力を受け付ける。また、表示部２０３がタッチパネルとなっている場合、表示部２０３上にキー２０６が重ね合わされる形態をとることもある。
【００６４】
マイク２０７は、ユーザが発する音声を受け付けるための装置である。
【００６５】
以上のようなシステム構成によって、ユーザは、電気機器１０に対する要求を通信端末２０に入力した後、通信端末２０と電気機器１０とを近接無線通信させることで、電気機器１０に要求を送信し、かつ、設定するシステムを提供できる。
【００６６】
図３は、本実施の形態における通信端末２０の機能構成を示すブロック図である。
【００６７】
図３に示されるように、通信端末２０は、リスト記憶部２１１と、リスト取得部２１２と、受付部２１３と、コマンド生成部２１４と、選択部２１５と、受信部２１６と、送信部２１７とを備える。
【００６８】
リスト記憶部２１１は、制御可能な電気機器のリスト（以降、機器リストともよぶ）を記憶している。機器リストは、電気機器を特定可能な機器情報と、当該電気機器の動作の属性との対応付けを記載したものである。機器リストについては、後で詳しく説明する。なお、リスト記憶部２１１は、記憶部に相当する。
【００６９】
リスト取得部２１２は、対象機器を含む複数の電気機器のそれぞれを識別可能な機器情報と、機器情報により識別される電気機器が制御の下で実行可能な動作の属性である第二属性とを対応付けて示す対応情報を取得する。この対応付けは、リスト記憶部２１１に記憶されていたものであるので、リスト取得部２１２は、リスト記憶部２１１から機器リストを取得する。また、リスト取得部２１２は、取得した機器リストのうち、受付部２１３がユーザから受け付ける設定情報に含まれる属性を、動作の属性として有する電気機器を抽出し、抽出リストを作成する。なお、リスト取得部２１２は、取得部に相当する。
【００７０】
なお、リスト取得部２１２は、対応付けを保持するリストであって、通信端末２０が備える記憶部に記憶されているリストを、上記の対応付けとして取得するとしてもよい。
【００７１】
受付部２１３は、制御対象の電気機器である対象機器が制御の下で実行する動作の属性である第一属性と、第一属性への設定値とを含む設定情報を受け付ける。なお、第一属性のことを単に属性と記載することもある。受付部２１３は、当該設定情報をユーザから受け付けてもよいし、適当な外部装置から受け付けてもよい。受付部２１３は、ユーザが発する音声を取得することで受け付けてもよい。受付部２１３は、上記のように設定情報を受け付けるのに先立って、設定情報の入力を促すための情報を予めユーザに提示させ、提示された情報に応じてユーザが入力した設定情報を設定情報として受け付けさせるとしてもよい。
【００７２】
コマンド生成部２１４は、受付部２１３が受け付けた設定情報に含まれる第一属性と、取得した対応情報により対応付けられる複数の電気機器の機器情報のうち、第二属性として第一属性を含む電気機器の機器情報のそれぞれとに応じた所定の情報を、受け付けた設定情報に付加することで、複数の電気機器のそれぞれへの制御の内容を示す複数の制御情報を生成する。具体的には、コマンド生成部２１４は、受付部２１３がユーザ等から受け付けた設定情報の属性を含む電気機器を、リスト取得部２１２が取得した機器リストに記載された電気機器のうちから抽出し、電気機器に応じた所定の情報を付加することで当該電気機器に対するコマンド（制御情報）を生成する。上記で抽出されたリストを、抽出リストとよぶ。抽出リストについては、後で詳しく説明する。なお、コマンド生成部２１４は、生成部に相当する。
【００７３】
選択部２１５は、コマンド生成部２１４が生成した複数の制御情報のうち、受信した機器情報により識別される電気機器への制御の内容を示す制御情報を選択する。つまり、コマンド生成部２１４が生成したコマンドの中から、受信部２１６が対象機器から受信する機器ＩＤと一致する電気機器のコマンドを選択する。
【００７４】
受信部２１６は、対象機器と通信端末２０との近接無線通信を通じて、対象機器の機器情報を受信する。つまり、受信部２１６は、電気機器１０から対象機器の機器ＩＤを受信する。
【００７５】
送信部２１７は、選択部２１５が選択した制御情報を、対象機器と通信端末との近接無線通信を通じて対象機器へ送信する。
【００７６】
以上の構成により、リスト記憶部に記憶されている機器リストから、ユーザが通信端末２０に入力した設定情報に対応するコマンドを生成できる。
【００７７】
さらに、通信端末２０で対象機器である電気機器１０のコマンドを選択し、電気機器１０にコマンドを送信し、かつ、設定することが可能となる。
【００７８】
図４は、本実施の形態におけるリスト記憶部に記憶されている機器リストを示す図である。図４に示される機器リスト４００には、機器ＩＤ４０１と、機器名称４０２と、動作属性４０３とが対応付けられている。
【００７９】
機器ＩＤ４０１は、電気機器を個別に識別可能な機器情報である。機器ＩＤは、例えば、電気機器の品番であってもよいし、電気機器の製造番号（シリアル番号）であってもよい。なお、複数の機器が同一の機器ＩＤ４０１を有することはない。
【００８０】
機器名称４０２は、機器ＩＤ４０１により特定される機器の名称である。なお、複数の機器が同一の名称を有する場合もある。例えば、２個のテレビを含む機器リストでは、機器名称４０２の欄が「テレビ」と記載される列が２行あってもよい。このような場合に、２個のテレビを識別可能なように、各テレビに一意の文字又は記号を付してもよい。図４に示される機器リストは、２個のテレビがある場合を示しているが、各テレビに数値を付して「テレビ１」及び「テレビ２」とすることにより、各テレビを一意に識別できるようにして記載している。
【００８１】
動作属性４０３は、機器ＩＤ４０１により特定される機器の動作の属性を示す。動作の属性とは、電気機器の動作がどのような性質のものであるかを示すものでありさまざまなものがありうる。例えば、時刻、時間長、温度、強弱、又はＳＴＡＲＴ／ＳＴＯＰがある。「時刻」の属性を有する動作とは、電気機器が所定の時刻に、又は所定の時刻までに所定の動作を行うべきと設定されうる動作のことをいう。例えば、炊飯器が定められた時刻に米を炊き上げること、洗濯機が定められた時刻に洗濯物を洗い終えること、又は、ＤＶＤレコーダーが定められた時刻に録画を開始すること、などがある。同様に、「時間長」の属性を有する動作とは、電気機器が所定の長さの時間続けるべきと設定されうる動作のこと、又は、設定時刻を起点として所定の長さの時間後に行うべきと設定されうる動作のことをいう。「強弱」の属性を有する動作とは、電気機器による動作強度の強弱、又は、効果の強弱が定義される場合に、所定の強さで、又は、設定時の強さよりも強く動作をするべき、と設定されうる動作のことをいう。「ＳＴＡＲＴ／ＳＴＯＰ」の属性を有する動作とは、電気機器による所定の動作の開始又は停止（終了）をすべきと設定されうる動作のことをいう。
【００８２】
さらに、１個の電気機器において、上記の属性が複数用いられることもある。例えば、図４に示されるように、ＤＶＤレコーダーに設定可能な動作属性は、時刻、時間長、及びＳＴＡＲＴ／ＳＴＯＰである。ＤＶＤレコーダーに、所定の時刻から録画を開始し、所定の時間長の録画を行わせる場合は、時刻と時間長の属性との両方が指定されたことになる。
【００８３】
図５は、本実施の形態における抽出リストを示す図である。図５に示される抽出リスト５００には、機器ＩＤ５０１と、機器名称５０２と、動作属性５０３とが対応付けられている。図５の抽出リストは、図４の機器リストから「時刻」の動作属性を有する電気機器のみを抽出したものである。
【００８４】
図６は、本実施の形態における通信端末の動作を示すフローチャートである。図７は、実施の形態１における通信端末から対象機器にユーザの要求を送信する処理の流れを示したシーケンス図である。図６及び図７を用いて通信端末２０の動作、及び、電気機器１０と通信端末２０との間のデータのやりとりについて説明する。
【００８５】
ステップＳ６０１（Ｓ７０２）において、受付部２１３は、ユーザによる設定情報の入力を受け付ける。設定情報の入力を受け付ける前に、受付部２１３は、ユーザによる設定情報の入力を促す画面を表示部２０３に表示してもよい（ステップＳ７０１）。このようにすれば、ユーザは、当該画面を参照し、それに促されて設定情報を通信端末に入力することができる。
【００８６】
ステップＳ６０２（Ｓ７０３）において、リスト取得部２１２は、ユーザから要求として受け付けた設定情報に基づいて、機器リストから、設定情報に含まれる属性を動作属性として有する電気機器を抽出した抽出リスト（対応付け）を、リスト記憶部２１１から取得する。リスト記憶部２１１には、電気機器と機器ＩＤとを対応付けた機器リストが記憶されている（図４）。リスト記憶部には、例えば、予めユーザが使用する電気機器のリストを保持していてもよい。要求に対応する電気機器は、ユーザが使用する電気機器のリストの中から選択された電気機器であってもよい（図５）。さらに、機器リストは、ユーザにより予め指定された電気機器についての機器リストであってもよい。
【００８７】
ステップＳ６０３（Ｓ７０４）において、コマンド生成部２１４は、取得した抽出リストに含まれる電気機器１０のそれぞれに対するコマンドの候補を生成する。
【００８８】
ステップＳ６０４（Ｓ７０５）において、受信部２１６は、近接無線通信を介して、制御対象の電気機器１０から機器ＩＤを受信する。この近接無線通信は、ユーザが通信端末２０を電気機器１０にかざすかざし操作、又は、通信端末２０を電気機器１０にタッチするタッチ操作により、通信端末２０が電気機器１０に近づけられることで行われる。
【００８９】
ステップＳ６０５において、送信部２１７は、コマンドを対象機器に近接無線通信により送信する。具体的には、まず、選択部２１５が、コマンドの候補の中から、受信した機器ＩＤに対応する電気機器のコマンドを選択する（ステップＳ７０６）。次に、送信部２１７は、選択部２１５が選択したコマンドを近接無線通信を介して制御対象の電気機器１０に送信する（ステップＳ７０７）。
【００９０】
その後、電気機器１０は、ステップＳ６０３で通信端末２０が送信したコマンドを受信し（ステップＳ７２１）、受信したコマンドを実行することで動作をする（ステップＳ７２２）。
【００９１】
なお、ステップＳ６０４における近接無線通信と、ステップＳ６０５における近接無線通信との両方が、ユーザによる１回のタッチ操作又はかざし操作によって行われてもよい。このようにすれば、通信端末２０は、ユーザによる１回だけのタッチ操作又はかざし操作によって電気機器１０に適切な制御情報を送信することができる。
【００９２】
なお、ステップＳ６０５において、コマンドの候補が１つだけであった場合、かつ、通信端末２０と電気機器１０とが近接無線以外の通信手段（例えば、ＩＥＥＥ８０２．１１ａ，ｂ，ｇ，ｎ規格の無線ＬＡＮなど）により通信可能である場合には、近接無線通信を用いずに、上記の通信手段を用いて制御対象の電気機器１０にコマンドを送信してもよい。
【００９３】
なお、ここで、コマンドとは、単一の制御コマンドには限らない。複数の制御コマンドで構成されるプログラムなどであってもよい。
【００９４】
図８は、本実施の形態における制御方法の説明図である。図８を参照しながら、本実施の形態における電気機器の制御方法を説明する。
【００９５】
ここでは、ユーザが設定情報として「８時」と入力した場合を想定する。また、リスト記憶部２１１には、図４に示される機器リスト４００が記憶されている場合を想定する。
【００９６】
まず、受付部２１３が、設定情報８０１として「８時」を受け付ける（ステップＳ６０１）。なお、「８時」という情報から、設定情報８０１は、時刻の属性を有する動作の指定であり、この属性への設定値は、「８（時）」であることがわかる。
【００９７】
次に、リスト取得部２１２は、リスト記憶部２１１に記憶されている機器リスト４００を取得する（ステップＳ６０２）。そして、動作属性として時刻を有する電気機器を抽出し、抽出リスト５００を生成する。抽出リスト５００には、炊飯器、洗濯機及びＤＶＤレコーダーの３つの電気機器が示されている。
【００９８】
次に、コマンド生成部２１４は、上記の３つの電気機器のそれぞれに応じたコマンド（制御情報）を生成する（ステップＳ６０３）。すなわち、コマンド生成部２１４は、炊飯器への制御の内容を示す制御情報８１１として「８時に炊きあがり」を、洗濯機への制御の内容を示す制御情報８１２として「８時に洗いあがり」を、ＤＶＤレコーダーへの制御の内容を示す制御情報８１３として「８時に録画開始」を、それぞれ生成する。
【００９９】
次に、ユーザが通信端末２０を電気機器１０である炊飯器に近接させる（タッチ操作を行う）ことで、通信端末２０と電気機器１０とが近接無線通信を行う。この近接無線通信において、まず、通信端末２０は、電気機器である炊飯器から機器ＩＤを取得する（ステップＳ６０４）。なお、図４又は図５に示されるように、炊飯器の機器ＩＤは、「Ｂ０１０」である。
【０１００】
次に、通信端末２０は、取得した機器ＩＤに基づいて、当該機器ＩＤにより識別される電気機器（つまり炊飯器）への制御情報８１１を選択する。そして、通信端末２０は、電気機器１０との近接無線通信により、制御情報８１１を送信する（ステップＳ６０５）。
【０１０１】
なお、ステップＳ６０３で、電気機器に応じたコマンドを生成する際には、電気機器ごとに予め定められた情報を、設定情報に付加することで、上記コマンドを生成する。例えば、炊飯器であれば、時刻の属性を有する設定情報に対して、「（当該時刻）に米を炊き上げる」という情報を付加することで、上記コマンドを生成する。なお、上記で付加した情報は、予めユーザがデフォルト設定、又は、お気に入り設定として電気機器に登録していたものであってもよい。
【０１０２】
なお、属性の指定がない場合に、どの属性の指定であるかを事前に取り決めておけば、属性の指定がない設定情報を受け付けることも可能である。例えば、設定情報として「８」を受け付けた場合であって、属性の指定がない場合には時刻の属性であると事前に取り決めてある場合には、上記の設定情報は「８時」であるものとして、それ以降の処理を行うことができる。
【０１０３】
以上の構成により、ユーザは通信端末上で制御対象の電気機器を選択する必要がなくなる。そして、要求を通信端末に入力した後に、制御対象の電気機器に通信端末をかざすだけで電気機器を制御することが可能となる。
【０１０４】
（実施の形態２）
本実施の形態では、近接通信機能を有する電気機器と、当該電気機器との間で近接無線通信を行う通信端末と、インターネット又は携帯電話通信網などの汎用のネットワークを介して当該通信端末と接続されるサーバから構成される通信システムについて説明する。当該通信システムにより、ユーザは、比較的簡単な操作で携帯電話やスマートフォンなどの通信端末を用いて、電気機器に要求を送信・設定することができる。当該通信システムについて図面を用いて詳細に説明する。なお、これまでに説明した実施の形態における構成要素と同様の構成要素については、同一の符号を付し詳細な説明を省略することがある。
【０１０５】
図９Ａは、本実施の形態に係る通信システムの全体像を表した概念図である。図６に示す通信システム１０１は、電気機器１０と、通信端末２１と、サーバ４０とを含む。なお、通信端末２１とサーバ４０とをまとめて制御システム５０とよぶこともある。
【０１０６】
通信端末２１は、サーバ４０と連携して、実施の形態１における通信端末２０と同様の方法により電気機器１０を制御する。
【０１０７】
サーバ４０は、データベースを備えたサーバである。サーバ４０は、ネットワーク３０を介して、通信端末２１に接続されている。このサーバ４０は、通信端末２１から転送されてくる情報をデータベースに登録して、その結果を示す情報を、通信端末２１に転送する。例えば、サーバ４０は、データベースを持ったＷＥＢサーバで構成される。
【０１０８】
以上のようなシステム構成によって、ユーザは、通信端末２１に要求を入力し、電気機器１０と近接無線通信を行うことで、電気機器１０に要求を送信・設定するシステムを提供できる。
【０１０９】
図９Ｂは、本実施の形態における通信端末及び電気機器のハードウェア構成を示すブロック図である。電気機器１０は、実施の形態１における電気機器１０と同様の構成である。
【０１１０】
通信端末２０は、処理部２０１と、記憶部２０２と、表示部２０３と、第一通信部２０４と、第二通信部２０５と、キー２０６と、マイク２０７とを備える。
【０１１１】
第二通信部２０５は、ＬＡＮ又は携帯電話通信網などの汎用のネットワークに接続することが可能な通信インタフェースである。第二通信部２０５は、処理部２０１などによる制御に基づいてネットワークを介してサーバ４０と通信する。
【０１１２】
次に、本実施の形態に係る通信端末２１とサーバ４０とについて図面を用いて詳細に説明する。
【０１１３】
図１０は、本実施の形態における通信端末２１とサーバ４０との構成を示すブロック図である。
【０１１４】
通信端末２１は、受付部２１３と、選択部２１５Ａと、受信部２１６と、送信部２１７とを備える。
【０１１５】
選択部２１５Ａは、サーバ４０内のコマンド生成部４１４が生成したコマンドの中から受信部２１６が対象機器から受信する機器ＩＤと一致する電気機器のコマンドを選択する。
【０１１６】
なお、実施の形態１における選択部２１５は、コマンド生成部２１４が生成したコマンドの中から選択する。一方、選択部２１５Ａは、サーバ４０内のコマンド生成部４１４が生成したコマンドの中から選択する。このように、本実施の形態は、実施の形態１と異なる。
【０１１７】
受付部２１３と、受信部２１６と、送信部２１７とは、それぞれ実施の形態１の図３におけるものと同じである。
【０１１８】
サーバ４０は、リスト記憶部４１１と、リスト取得部４１２と、コマンド生成部４１４とを備える。
【０１１９】
リスト記憶部４１１は、制御システム５０で制御できる電気機器についての機器リストを記憶している。
【０１２０】
リスト取得部４１２は、リスト記憶部４１１から機器リストを取得する。
【０１２１】
コマンド生成部４１４は、リスト取得部４１２が取得した電気機器のうち、通信端末２１にユーザから入力された要求を満たしそうな電気機器に対するコマンドの候補を生成する。
【０１２２】
以上の構成により、サーバ４０に記憶されている機器リストから、ユーザが通信端末２１に入力した要求のコマンドを生成できる。
【０１２３】
さらに、通信端末２１で制御対象の電気機器１０のコマンドを選択し、電気機器１０にコマンドを送信・設定することが可能となる。
【０１２４】
次に、図１１を用いて、本実施の形態における通信端末２１が電気機器１０を制御する際の、電気機器１０と、通信端末２１と、サーバ４０とのデータのやりとりについて説明する。
【０１２５】
ステップＳ１１２１は、実施の形態１（図７）におけるステップＳ７０１と同様である。
【０１２６】
ステップＳ１１２２において、通信端末２１は、ユーザによる要求の入力を受け付ける。そして、通信端末２１は、ユーザから受け付けた要求を、ネットワーク３０を介してサーバ４０に送信する。
【０１２７】
ステップＳ１１０１において、リスト取得部４１２は、ユーザから受け付けた要求を受信した後、リスト記憶部４１１から機器リストを取得して、要求に対応する電気機器のリスト（抽出リスト）を生成する。抽出リストについては、実施の形態１の図３で説明した内容と同じである。
【０１２８】
ステップＳ１１０２において、サーバ４０は、取得した機器リストに含まれる電気機器１０のそれぞれに対するコマンドの候補を生成し、通信端末２１に送信する。通信端末２１は、サーバ４０が送信したコマンドの候補を受信する。
【０１２９】
ステップＳ１１２３〜Ｓ１１２５、及び、Ｓ１１４１〜Ｓ１１４２のそれぞれは、実施の形態１（図７）におけるステップＳ７０５〜Ｓ７０７、及び、Ｓ７２１〜Ｓ７２２と同じである。
【０１３０】
以上の構成により、サーバ４０がリスト記憶部４１１、リスト取得部４１２、及び、コマンド生成部４１４を備えているので、それらを通信端末で備える場合よりも、外部からの攻撃を受けにくく、かつ、より安全に電気機器情報や要求に対する制御コマンドの生成処理を行うことができる。
【０１３１】
（実施の形態３）
本実施の形態では、通信端末がリスト取得部を有する。他の部分は実施の形態２と同様のシステム構成である。なお、これまでに説明した実施の形態における構成要素と同様の構成要素については、同一の符号を付し詳細な説明を省略することがある。
【０１３２】
通信システム１０１は、実施の形態１におけるものと同じである。
【０１３３】
次に、本実施の形態に係る通信端末２２とサーバ４１とについて図面を用いて詳細に説明する。
【０１３４】
図１２は、本実施の形態における通信端末２２とサーバ４１との構成を示すブロック図である。
【０１３５】
通信端末２２は、リスト取得部２１２Ｂと、受付部２１３Ｂと、選択部２１５Ａと、受信部２１６と、送信部２１７とを備える。
【０１３６】
リスト取得部２１２Ｂは、サーバ４０のリスト記憶部４１１Ｂが記憶している機器リストを取得する。また、リスト取得部４１１Ｂは、取得された機器リストの中からユーザの要求に対応し得る電気機器を抽出することで抽出リストを生成する。ここで、通信端末２２は抽出された電気機器に対応するコマンドを生成することをサーバ４１に要求する。
【０１３７】
受付部２１３、選択部２１５Ａ、受信部２１６及び送信部２１７は、それぞれ実施の形態２（図１０）におけるものと同じである。
【０１３８】
サーバ４１は、リスト記憶部４１１Ｂと、コマンド生成部４１４Ｂとを備える。
【０１３９】
リスト記憶部４１１は、それぞれ実施の形態２（図１０）におけるものと同じである。
【０１４０】
コマンド生成部４１４Ｂは、リスト取得部２１２Ｂが取得した電気機器のうち、通信端末２１にユーザから入力された要求を満たしそうな電気機器に対するコマンドの候補を生成する。コマンド生成部４１４Ｂは、実施の形態２（図１２）におけるコマンド生成部４１４がリスト取得部４１２から情報を取得するのに対し、リスト取得部２１２Ｂから情報を取得する点で、コマンド生成部４１４と異なる。
【０１４１】
以上の構成により、サーバ４０に記憶されている機器リストから、ユーザが通信端末２２に入力した要求のコマンドを生成できる。
【０１４２】
さらに、通信端末２２で制御対象の電気機器１０のコマンドを選択し、電気機器１０にコマンドを送信・設定することが可能となる。
【０１４３】
次に、図１３を用いて、本実施の形態における通信端末２１が電気機器１０を制御する際の、電気機器１０と、通信端末２１と、サーバ４０との間のデータのやりとりについて説明する。
【０１４４】
ステップＳ１３２１及びステップＳ１３２２は、実施の形態１（図７）におけるステップＳ７０１及びＳ７０２と同様である。
【０１４５】
ステップＳ１３２３において、通信端末２２は、サーバ４１内のリスト記憶部４１１Ｂが記憶している機器リストを取得する。
【０１４６】
ステップＳ１３２４において、通信端末２２は、取得した機器リストのうちユーザから受け付けた要求に合いそうな電気機器用のコマンドを、ネットワークを介して、サーバ４１に要求する。
【０１４７】
ステップＳ１３０１において、サーバ４１は、通信端末２２から要求されたコマンドの候補を生成し、通信端末２２へ送信する。通信端末２２は、サーバ４１が送信したコマンドの候補を受信する。
【０１４８】
ステップＳ１３２５〜Ｓ１３２７、及び、Ｓ１３４１〜Ｓ１３４２のそれぞれは、実施の形態１（図７）におけるステップＳ７０５〜Ｓ７０７、及び、Ｓ７２１〜Ｓ７２２と同じである。
【０１４９】
以上の構成により、サーバ４１がリスト記憶部４１１、及びコマンド生成部４１４Ｂを備えているので、実施の形態２と同じ程度安全である。また、通信端末２２が備えているリスト取得部２１２Ｂがユーザの要求を満たしそうな電気機器についての機器リストを取得するので、実施の形態２における構成よりも処理速度を速くすることができる。
【０１５０】
（実施の形態４）
本実施の形態では、通信端末がリスト記憶部、及びリスト取得部を有する。他の部分は実施の形態２と同様のシステム構成である。なお、これまでに説明した実施の形態における構成要素と同様の構成要素については、同一の符号を付し詳細な説明を省略することがある。
【０１５１】
通信システム１０１については実施の形態１におけるものと同じである。
【０１５２】
次に、本実施の形態に係る通信端末２３とサーバ４２とについて図面を用いて詳細に説明する。
【０１５３】
図１４は、本実施の形態における通信端末２３とサーバ４２との構成を示すブロック図である。
【０１５４】
通信端末２３は、リスト記憶部２１１と、リスト取得部２１２と、受付部２１３と、選択部２１５Ａと、受信部２１６と、送信部２１７とを備える。
【０１５５】
リスト記憶部２１１と、リスト取得部２１２と、受付部２１３と、選択部２１５Ａと、受信部２１６と、送信部２１７とは、それぞれ実施の形態３（図１２）におけるものと同じである。
【０１５６】
サーバ４２は、コマンド生成部４１４Ｂを備える。コマンド生成部４１４Ｂは、実施の形態２（図１０）におけるものと同じである。
【０１５７】
以上の構成により、サーバ４２に記憶されている機器リストから、ユーザが通信端末２３に入力した要求のコマンドを生成できる。
【０１５８】
さらに、通信端末２３で制御対象の電気機器１０のコマンドを選択し、電気機器１０にコマンドを送信・設定することが可能となる。
【０１５９】
次に、図１５を用いて、本実施の形態における通信端末２３で電気機器１０を制御する際の、電気機器１０と、通信端末２３と、サーバ４２との間のデータのやりとりについて説明する。
【０１６０】
ステップＳ１５２１及びステップＳ１５２２は、実施の形態１（図７）におけるステップＳ７０１及びＳ７０２と同様である。
【０１６１】
ステップＳ１５２３において、通信端末２３のリスト取得部２１２は、リスト記憶部２１１に記憶している機器リストを取得する。
【０１６２】
ステップＳ１５２４において、通信端末２３は、リスト記憶部２１１に記憶されている機器リストからユーザから受け付けた要求に合いそうな電気機器についての機器リストを取得する。また、通信端末２３は、取得した電気機器のうちユーザから受け付けた要求に合いそうな電気機器用のコマンドを、ネットワークを介して、サーバ４２に要求する。
【０１６３】
ステップＳ１５０１、Ｓ１５２５〜Ｓ１５２７、及び、Ｓ１５４１〜Ｓ１５４２は、実施の形態３（図１３）におけるステップＳ１３０１、Ｓ１３２５〜Ｓ１３２７、及び、Ｓ１３４１〜Ｓ１３４２と同じである。
【０１６４】
以上の構成により、サーバ４２がコマンド生成部４１４Ｂを備えており、通信端末２３がリスト記憶部２１１を備えていることから、実施の形態２又は３における構成よりは安全性は低いものの、実施の形態１における構成よりは安全性が高い。通信端末２３がリスト記憶部２１１とリスト取得部２１２とを備えていることから、実施の形態３における構成よりも処理速度を速くすることができる。
【０１６５】
（実施の形態５）
本実施の形態では、通信端末がコマンド生成部を有する。他の部分は実施の形態２と同様のシステム構成である。なお、これまでに説明した実施の形態における構成要素と同様の構成要素については、同一の符号を付し詳細な説明を省略することがある。
【０１６６】
全体の通信システム１０１については実施の形態１におけるものと同じである。
【０１６７】
次に、本実施の形態に係る通信端末２４とサーバ４３とについて図面を用いて詳細に説明する。
【０１６８】
図１６は、本実施の形態における通信端末２４とサーバ４３の構成を示すブロック図である。
【０１６９】
通信端末２４は、コマンド生成部２１４Ｄと、受付部２１３と、選択部２１５Ａと、受信部２１６と、送信部２１７とを備える。
【０１７０】
受付部２１３と、選択部２１５Ａと、受信部２１６と、送信部２１７とは、それぞれ実施の形態２（図１０）におけるものと同じである。
【０１７１】
コマンド生成部２１４Ｄは、受付部２１３が受け付けた設定情報に、電気機器に応じた所定の情報を付加することで、当該電気機器の動作を制御するための制御情報を生成する。コマンド生成部２１４Ｄは、サーバ４３が備えるリスト取得部４１２から機器リストを取得する点で、実施の形態１におけるコマンド生成部２１４と異なる。
【０１７２】
サーバ４３は、リスト記憶部４１１と、リスト取得部４１２とを備える。
【０１７３】
リスト記憶部４１１、リスト取得部４１２は、実施の形態２（図１０）におけるものと同じである。
【０１７４】
以上の構成により、サーバ４３に記憶されている機器リストから、ユーザが通信端末２４に入力した要求のコマンドを生成できる。
【０１７５】
さらに、通信端末２４で制御対象の電気機器１０のコマンドを選択し、電気機器１０にコマンドを送信・設定することが可能となる。
【０１７６】
次に、図１７を用いて、本実施の形態における通信端末２４で電気機器１０を制御する際の、電気機器１０と、通信端末２４と、サーバ４３との間のデータのやりとりについて説明する。
【０１７７】
ステップＳ１７２１及びステップＳ１７２２は、実施の形態１（図７）におけるステップＳ７０１及びＳ７０２と同様である。
【０１７８】
ステップ１７０１において、サーバ４３は、リスト記憶部４１１が記憶している機器リストを取得し、通信端末２４に送信する。
【０１７９】
ステップＳ１７２３において、通信端末２４は、リスト取得部４１２が取得した電気機器のうち、ユーザから入力された要求を満たしそうな電気機器に対するコマンドの候補を生成する。
【０１８０】
ステップＳ１７２４〜Ｓ１７２６、及び、Ｓ１７４１〜Ｓ１７４２のそれぞれは、実施の形態１（図７）におけるステップＳ７０５〜Ｓ７０７、及び、Ｓ７２１〜Ｓ７２２と同じである。
【０１８１】
以上の構成により、サーバ４３がリスト記憶部４１１、及び、リスト取得部４１２を備えており、通信端末がコマンド生成部２１４Ｄを備えていることから、実施の形態２又は３における構成よりは安全性は低いものの、実施の形態１における構成よりは安全性が高い。通信端末２４がコマンド生成部２１４Ｄを備えていることから、実施の形態３における構成よりも処理速度を速くすることができる。
【０１８２】
（実施の形態６）
本実施の形態では、通信端末がリスト所得部、コマンド生成部を有する。他の部分は実施の形態２と同様のシステム構成である。なお、これまでに説明した実施の形態における構成要素と同様の構成要素については、同一の符号を付し詳細な説明を省略することがある。
【０１８３】
通信システム１０１については実施の形態１におけるものと同じである。
【０１８４】
次に、本実施の形態に係る通信端末２５とサーバ４４とについて図面を用いて詳細に説明する。
【０１８５】
図１８は、本実施の形態における通信端末２５とサーバ４４との構成を示すブロック図である。
【０１８６】
通信端末２５は、リスト取得部２１２Ｂと、コマンド生成部２１４と、受付部２１３と、選択部２１５と、受信部２１６と、送信部２１７とを備える。
【０１８７】
リスト取得部２１２Ｂと、コマンド生成部２１４と、受付部と、選択部２１５と、受信部２１６と、送信部２１７とは、それぞれ実施の形態２（図１０）におけるものと同じである。
【０１８８】
サーバ４４は、リスト記憶部４１１を備える。
【０１８９】
リスト記憶部４１１は、実施の形態２（図１０）におけるものと同じである。
【０１９０】
以上の構成により、サーバ４４に記憶されている機器リストから、ユーザが通信端末２５に入力した要求のコマンドを生成できる。
【０１９１】
さらに、通信端末２５で制御対象の電気機器１０のコマンドを選択し、電気機器１０にコマンドを送信・設定することが可能となる。
【０１９２】
次に、図１９を用いて、本実施の形態における通信端末２５で電気機器１０を制御する際の、電気機器１０と、通信端末２５と、サーバ４４との間のデータのやりとりについて説明する。
【０１９３】
ステップＳ１９２１及びステップＳ１９２２は、実施の形態１（図７）におけるステップＳ７０１及びＳ７０２と同様である。
【０１９４】
ステップＳ１３２３において、通信端末２２は、サーバ４４内のリスト記憶部４１１が記憶している機器リストを取得する。
【０１９５】
ステップＳ１３２３において、通信端末２２は、サーバ４４内のリスト記憶部４１１が記憶している機器リストを取得する。
【０１９６】
ステップＳ１３２４において、通信端末２５は、取得された電気機器のうち、ユーザから入力された要求を満たしそうな電気機器に対するコマンドの候補を生成する。
【０１９７】
ステップＳ１９２５〜Ｓ１９２７、及び、Ｓ１９４１〜Ｓ１９４２のそれぞれは、実施の形態１（図７）におけるステップＳ７０５〜Ｓ７０７、及び、Ｓ７２１〜Ｓ７２２と同じである。
【０１９８】
以上の構成により、サーバ４４がリスト記憶部４１１を備えており、通信端末２５がリスト取得部２１２Ｂ、及び、コマンド生成部２１４を備えていることから、実施の形態２又は３における構成よりは安全性は低いものの、実施の形態１における構成よりは安全性が高い。通信端末２５がコマンド生成部２１４を備えていることから、実施の形態１における構成の次に処理速度を速くすることができる。
【０１９９】
なお、上記各実施の形態において、サーバ上に記憶されているプログラムを通信端末が読みだして実行することで、上記各実施の形態における通信端末として動作するようにしてもよい。このように構成される通信システムについて、図２０を参照しながら説明する。
【０２００】
図２０は、各実施の形態における通信端末の他の構成例を示す概念図である。
【０２０１】
図２０に示されるように、通信端末２６は、ネットワーク３０を介してアプリサーバ６０に接続されている。
【０２０２】
アプリサーバ６０は、通信端末２６上で動作するプログラムであって、通信端末２６を上記各実施の形態における通信端末として動作させるためのプログラム（アプリケーションのプログラム）を記憶している。また、通信端末２６は、ネットワーク３０を介して通信端末２６と通信可能である。
【０２０３】
通信端末２６は、図９Ｂに示される通信端末２１と同様のハードウェア構成を有する。ただし、第二通信部２０５がネットワークを介してアプリサーバ６０と通信可能である。
【０２０４】
通信端末２６は、アプリサーバ６０が記憶しているプログラムをネットワーク３０を介して取得（ダウンロード）し、プログラムを実行することで上記各実施の形態における通信端末として動作する。
【０２０５】
図２１は、各実施の形態における通信端末と接続するアプリサーバの構成例を示すブロック図である。
【０２０６】
図２１に示されるように、アプリサーバ６０は、記憶部６０１と、制御部６０２と、通信部６０３とを備える。
【０２０７】
記憶部６０１は、通信端末２６上で動作するプログラムであって、通信端末２６を上記各実施の形態における通信端末として動作させるためのプログラムを記憶している。
【０２０８】
制御部６０２は、ネットワーク３０を介して通信端末２６によるプログラムの要求を受け付け、受け付けた要求に応じて通信端末２６にプログラムを送信する。
【０２０９】
通信部６０３は、ネットワーク３０を介して通信端末２６と通信することができる通信インタフェースである。
【０２１０】
上記の構成により、アプリサーバが記憶しているプログラムを汎用用途の通信端末にダウンロードし、当該通信端末にプログラムを実行させることで、当該通信端末を上記各実施の形態における通信端末として動作させることができる。
【０２１１】
なお、上記各実施の形態において、近接無線通信はタッチ又はかざし動作を伴うＮＦＣ通信を一例として記載しているが、他の通信手段を用いて実現されても良い。例えば、近接無線通信は、Ｂｌｕｅｔｏｏｔｈ（登録商標）又はＷｉ−ｆｉなどで実現されても良い。Ｂｌｕｅｔｏｏｔｈ（登録商標）で実現される場合には、通信端末とペアリングされている電気機器の機器IDにもとづいて、コマンドが選択される。
【０２１２】
また、通信端末と電気機器の位置情報にもとづいて、近くに存在する電気機器のコマンドを選択することもできる。また、上記位置情報に基づいて例えば、同一の部屋内に存在するコマンドを選択することができる。また、電気機器の動作状況に基づいて、コマンドを選択することができる。例えば、ユーザがテレビを見ている（テレビが動作している）場合には、テレビのコマンドを選択することができる。また、ユーザの状態からコマンドを選択することができる。例えば、ユーザの日々の動作（朝、９時にレンジを使う、１０時に洗濯機を使う、１１時にＩＨＣＨ（Ｉｎｄｕｃｔｉｏｎ  Ｈｅａｔｉｎｇ  Ｃｏｏｋｉｎｇ  Ｈｅａｔｅｒ）を使うなど）を学習し、そのユーザが実施するであろう動作を予測しコマンドを選択することができる。
【０２１３】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の通信端末などを実現するソフトウェアは、次のようなプログラムである。
【０２１４】
すなわち、このプログラムは、コンピュータに、通信端末を用いて電気機器を制御するための制御方法であって、制御対象の電気機器である対象機器が制御の下で実行する動作の属性である第一属性と、前記第一属性への設定値とを含む設定情報を受け付けさせ、前記対象機器を含む複数の電気機器のそれぞれを識別可能な機器情報と、前記機器情報により識別される前記電気機器が制御の下で実行可能な動作の属性である第二属性とを対応付けて示す対応情報を取得させ、受け付けた前記設定情報に含まれる前記第一属性と、取得した前記対応情報により対応付けられる前記複数の電気機器の機器情報のうち、前記第二属性として前記第一属性を含む電気機器の機器情報のそれぞれとに応じた所定の情報を、受け付けた前記設定情報に付加することで、前記複数の電気機器のそれぞれへの制御の内容を示す複数の制御情報を生成させ、前記対象機器と前記通信端末との近接無線通信を通じて、前記対象機器の機器情報を受信させ、生成した前記複数の制御情報のうち、受信した前記機器情報により識別される電気機器への制御の内容を示す制御情報を選択させ、選択した前記制御情報を、前記対象機器と前記通信端末との近接無線通信を通じて前記対象機器へ送信させる制御方法を実行させる。
【０２１５】
以上、一つまたは複数の態様に係る通信端末について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０２１６】
本開示にかかる通信装置は、ユーザが比較的簡単な操作で携帯電話やスマートフォンなどの携帯機器を用いて、電気機器に要求を送信・設定することで、簡単に電気機器の拡張ユーザインタフェースを提供する通信装置として有用である。
【符号の説明】
【０２１７】
１００、１０１    通信システム
１０    電気機器
２０、２１、２２、２３、２４、２５、２６    通信端末
３０    ネットワーク
４０、４１、４２、４３、４４    サーバ
５０    制御システム
６０    アプリサーバ
１１１    機器制御部
１１２、６０３    通信部
２０１    処理部
２０２、６０１    記憶部
２０３    表示部
２０４    第一通信部
２０５    第二通信部
２０６    キー
２０７    マイク
２１１、４１１    リスト記憶部
２１２、２１２Ｂ、４１２    リスト取得部
２１３    受付部
２１４、２１４Ｄ、４１４、４１４Ｂ    コマンド生成部
２１５、２１５Ａ    選択部
２１６    受信部
２１７    送信部
４００    機器リスト
５００    抽出リスト
４０１、５０１    機器ＩＤ
４０２、５０２    機器名称
４０３、５０３    動作属性
６０２    制御部
６０３    通信部
８０１    設定情報
８１１、８１２、８１３、８２１    制御情報
【図１】
2015128283.tif 000003
【図２】
2015128283.tif 000004
【図３】
2015128283.tif 000005
【図４】
2015128283.tif 000006
【図５】
2015128283.tif 000007
【図６】
2015128283.tif 000008
【図７】
2015128283.tif 000009
【図８】
2015128283.tif 000010
【図９Ａ】
2015128283.tif 000011
【図９Ｂ】
2015128283.tif 000012
【図１０】
2015128283.tif 000013
【図１１】
2015128283.tif 000014
【図１２】
2015128283.tif 000015
【図１３】
2015128283.tif 000016
【図１４】
2015128283.tif 000017
【図１５】
2015128283.tif 000018
【図１６】
2015128283.tif 000019
【図１７】
2015128283.tif 000020
【図１８】
2015128283.tif 000021
【図１９】
2015128283.tif 000022
【図２０】
2015128283.tif 000023
【図２１】
2015128283.tif 000024